(57)【要約】  本発明は、ネットワークを通してコンテンツを受信し、無線で接続された携帯端末からコンテンツを受信することを可能とするゲートウェイ装置を提供する。テレビ、セットトップボックス、ホームサーバ、携帯端末の少なくとも一つが接続されコンテンツを送出するゲートウェイ装置（１０２）であって、携帯端末から前記端末の能力を含む情報を受け、入力される、映像、音声、オーディオのうちの少なくとも一つを含むコンテンツに関して、前記コンテンツの復号に関するコーデック、ビットレート、解像度、ファイル形式を取得して、前記端末の能力を比較し、前記コンテンツの変換が必要であるか否かを判断する制御・解析部（１０８）と、前記変換が必要と判断された場合、前記携帯端末の能力に適合するように、前記コンテンツのコーデック、ビットレート、解像度、ファイル形式のうちの少なくとも一つを変換し、前記変換後のコンテンツを、無線ネットワークを介して携帯端末に送出するトランスコーダ（１０９）とを備える（図１）。
2009128515.tif 000002
【特許請求の範囲】
【請求項１】
コンテンツサーバからネットワークを介して、映像、音声、オーディオのうちの少なくとも１つを含むコンテンツを受け無線ネットワークを介して携帯端末に送出するゲートウェイ装置であって、
前記携帯端末から前記携帯端末の能力を含む情報を受け、
前記コンテンツサーバから入力される、映像、音声、オーディオのうちの少なくとも一つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断する制御部と、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する変換部と、
を備える、ことを特徴とするゲートウェイ装置。
【請求項２】
前記制御部は、
前記携帯端末から送信される前記携帯端末の能力を含む情報を受けて解析し、
前記コンテンツサーバから入力される、映像、音声、オーディオのうちの少なくとも１つを含むコンテンツについて、前記コンテンツと共に、又は別途入力される、前記コンテンツの復号化情報、ファイル形式から、前記コーデック、ビットレート、解像度、ファイル形式の情報を取得して、前記携帯端末の能力と比較し、
前記コンテンツに関するコーデック、ビットレート、解像度、及び、ファイル形式のうち前記携帯端末の能力に合致しないものが少なくとも１つある場合に、前記変換部に変換指示を出力し、
前記変換部は、前記制御部からの変換の指示を受けると、前記コンテンツに関するコーデック、ビットレート、解像度、及び、ファイル形式のうち前記携帯端末の能力に合致しないものについて、前記コンテンツにトランスコード処理を施す、ことを特徴とする請求項１記載のゲートウェイ装置。
【請求項３】
テレビ、セットトップボックス、ホームサーバ、携帯端末の少なくとも１つが接続され、映像、音声、オーディオのうちの少なくとも１つを含むコンテンツを無線ネットワークを介して前記携帯端末に送出するゲートウェイ装置であって、
前記携帯端末から前記端末の能力を含む情報を受け、
前記セットトップボックス又は前記ホームサーバに蓄積された、映像、音声、オーディオの少なくとも１つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断する制御部と、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する変換部と、
を備える、ことを特徴とするゲートウェイ装置。
【請求項４】
前記制御部は、前記携帯端末から送信される前記携帯端末の能力を含む情報を受けて解析し、
前記セットトップボックス又は前記ホームサーバに蓄積された、映像、音声、オーディオの少なくとも１つを含むコンテンツについて、前記コンテンツの復号化情報、ファイル形式から、前記コーデック、ビットレート、解像度、ファイル形式の情報を取得して、前記携帯端末の能力と比較し、
前記コンテンツに関するコーデック、ビットレート、解像度、及び、ファイル形式のうち前記携帯端末の能力に合致しないものが少なくとも１つある場合に、前記変換部に変換指示を出力し、
前記変換部は、前記制御部からの変換の指示を受けると、前記コンテンツに関するコーデック、ビットレート、解像度、及び、ファイル形式のうち前記携帯端末の能力に合致しないものについて、前記コンテンツにトランスコード処理を施す、ことを特徴とする請求項３記載のゲートウェイ装置。
【請求項５】
前記変換部は、
前記コンテンツの動画データストリームを受信し一時的に蓄積する受信バッファと、
前記制御・解析部から、変換に関する制御情報を受けとり、トランスコード処理の有無の指示を出力する変換制御部と、
を備え、
前記端末の能力情報と、動画像に関するコーデック、ビットレート、解像度のパラメータが全て一致する場合、前記変換制御部は、トランスコーダ処理を行わない指示を出し、前記受信バッファからの動画像データはスルーで前記変換部の送受信部から、ネットワーク伝送路を介して、前記端末に送出され、
前記端末の能力情報と、動画像に関するコーデック、ビットレート、解像度のパラメータのうち一つでも一致しない場合、前記変換制御部は、どのパラメータに対してトランスコーダ処理を行なうのかを判別して指示を出力し、
前記変換部は、前記受信バッファから動画像データストリームを受け取り、前記変換制御部から指示された、ビットレート、解像度、コーデックの該当パラメータについてトランスコード処理を実行して出力し、
前記変換制御部からの指示に基づき、前記受信バッファから動画像データストリームと、前記変換部でトランスコード処理された動作データストリームとの一方を選択して出力するスイッチ部と、
前記スイッチ部の出力を受け予め定められたサイズ毎に出力する送信バッファと、
を備えた、ことを特徴とする請求項１乃至４のいずれか１項に記載のゲートウェイ装置。
【請求項６】
前記変換部は、
前記受信バッファに動画ストリームがファイルで蓄積される場合に、前記変換制御部から指示されたファイル形式で格納された動画ストリームを、前記受信バッファから読み出して出力するファイル読み出し部を備え、
前記トランスコード部は、前記変換制御部からの指示に基づき、前記ファイル読み出し部で読み出された動画ストリームをトランスコード処理し、
前記トランスコード部でトランスコード処理された動画ストリームを、前記変換制御部から指示されたファイル形式でファイルに書き込むファイル書き込み部を備え、
前記スイッチ部は、前記変換制御部からの指示に基づき、前記ファイル書き込み部の出力と、前記受信バッファの出力との一方を選択し、予め定められたサイズ毎に前記送信バッファに出力する、ことを特徴とする請求項５に記載のゲートウェイ装置。
【請求項７】
コンテンツサーバから、映像、音声、オーディオのうちの少なくとも１つを含むコンテンツを受け無線ネットワークを介して携帯端末に送出するゲートウェイを構成するコンピュータに、
前記携帯端末から前記携帯端末の能力を含む情報を受け、
前記コンテンツサーバから入力される、映像、音声、オーディオのうちの少なくとも一つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断する処理と、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する処理と、
を実行させるプログラム。
【請求項８】
セットトップボックス、ホームサーバの少なくとも１つに接続され、映像、音声、オーディオのうちの少なくとも１つを含むコンテンツを、無線ネットワークを介して携帯端末に送出するゲートウェイを構成するコンピュータに、
前記携帯端末から前記端末の能力を含む情報を受け、
前記セットトップボックス又は前記ホームサーバに蓄積された、映像、音声、オーディオの少なくとも１つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断する処理と、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する処理と、
を実行させるプログラム。
【請求項９】
テレビ受信機、セットトップボックス、ホームサーバの少なくとも１つが接続され、映像、音声、オーディオのうちの少なくとも１つを含むコンテンツを受信し、前記テレビ受信機、セットトップボックス、ホームサーバのうちの少なくとも一つに対して前記コンテンツを出力するゲートウェイ装置であって、
携帯端末との間で前記携帯端末の能力を含む情報をやりとりする制御部と、
前記制御部からの情報を入力し、前記携帯端末の能力に適合させるために、前記受信したコンテンツの変換が必要であるか否かを判断し、前記変換が必要と判断された場合、前記コンテンツのコーデック、ビットレート、解像度、ファイル形式のうちの少なくとも一つを実時間に変換し、前記変換後のコンテンツを無線ネットワークを介して前記携帯端末に送出する変換部と、
を備える、ことを特徴とするゲートウェイ装置。
【請求項１０】
テレビ受信機、セットトップボックス、ホームサーバのうちの少なくとも１つが接続され、映像、音声、オーディオのうちの少なくとも１つを含むコンテンツを受信し、前記テレビ受信機、セットトップボックス、ホームサーバのうちの少なくとも一つに対して前記コンテンツを出力するゲートウェイ装置であって、
前記テレビ受信機、セットトップボックス、ホームサーバのうちの少なくとも一つは前記コンテンツを蓄積し、
携帯端末が無線ネットワークを介して前記ゲートウェイ装置に接続され、
前記携帯端末との間で前記携帯端末の能力を含む情報をやりとりする制御部と、
前記セットトップボックス、又は前記ホームサーバに蓄積された、映像、音声、オーディオの少なくとも１つを含むコンテンツを入力し、前記制御部からの情報を入力し、前記携帯端末の能力に適合させるために、前記コンテンツの変換が必要であるか否かを判断し、前記変換が必要と判断された場合、前記コンテンツのコーデック、ビットレート、解像度、ファイル形式のうちの少なくとも一つを実時間に変換し、前記変換後のコンテンツを無線ネットワークを介して前記携帯端末に送出する変換部と、
を備える、ことを特徴とするゲートウェイ装置。
【請求項１１】
テレビ受信機、セットトップボックス、ホームサーバの少なくとも１つが接続され、映像、音声、オーディオのうちの少なくとも１つを含むコンテンツを受信し、前記テレビ受信機、セットトップボックス、ホームサーバのうちの少なくとも一つに対して前記コンテンツを出力するゲートウェイ装置を構成するコンピュータに、
携帯端末との間で前記携帯端末の能力を含む情報をやりとりする処理と、
前記携帯端末の能力に適合させるために、前記受信したコンテンツの変換が必要であるか否かを判断し、前記変換が必要と判断された場合、前記コンテンツのコーデック、ビットレート、解像度、ファイル形式のうちの少なくとも一つを実時間に変換し、前記変換後のコンテンツを無線ネットワークを介して前記携帯端末に送出する処理と、
を実行させるプログラム。
【請求項１２】
テレビ受信機、セットトップボックス、ホームサーバのうちの少なくとも１つが接続され、映像、音声、オーディオのうちの少なくとも１つを含むコンテンツを受信し、前記テレビ受信機、セットトップボックス、ホームサーバのうちの少なくとも一つに対して前記コンテンツを出力し、前記テレビ受信機、セットトップボックス、ホームサーバのうちの少なくとも一つは前記コンテンツを蓄積し、
携帯端末が無線ネットワークを介して接続されるゲートウェイ装置を構成するコンピュータに、
前記携帯端末との間で前記携帯端末の能力を含む情報をやりとりする処理と、
前記セットトップボックス、又は前記ホームサーバに蓄積された、映像、音声、オーディオの少なくとも１つを含むコンテンツを入力し、前記制御部からの情報を入力し、前記携帯端末の能力に適合させるために、前記コンテンツの変換が必要であるか否かを判断し、前記変換が必要と判断された場合、前記コンテンツのコーデック、ビットレート、解像度、ファイル形式のうちの少なくとも一つを実時間に変換し、前記変換後のコンテンツを無線ネットワークを介して前記携帯端末に送出する処理と、
を実行させるプログラム。
【請求項１３】
コンテンツサーバからネットワークを介して、映像、音声、オーディオのうちの少なくとも１つを含むコンテンツを受け、
無線ネットワークを介して携帯端末に送出するゲートウェイの方法であって、
前記携帯端末から前記携帯端末の能力を含む情報を受け、
前記コンテンツサーバから入力される、映像、音声、オーディオのうちの少なくとも一つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断し、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する、
ことを特徴とするゲートウェイ方法。
【請求項１４】
テレビ、セットトップボックス、ホームサーバ、携帯端末の少なくとも１つが接続され、
映像、音声、オーディオのうちの少なくとも１つを含むコンテンツを無線ネットワークを介して前記携帯端末に送出するゲートウェイの方法であって、
前記携帯端末から前記端末の能力を含む情報を受け、
前記セットトップボックス又は前記ホームサーバに蓄積された、映像、音声、オーディオの少なくとも１つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断し、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する、
を備える、ことを特徴とするゲートウェイ方法。
【発明の詳細な説明】
【技術分野】
【０００１】
（関連出願についての記載）
本願は、先の日本特許出願２００８−１０９３０１号（２００８年４月１８日出願）の優先権を主張するものであり、前記先の出願の全記載内容は、本書に引用をもって繰込み記載されているものとみなされる。
本発明は、ゲートウェイ装置に関し、特に、端末に配信するコンテンツを端末の能力に応じて変換して配信するゲートウエイ装置とプログラムに関する。
【背景技術】
【０００２】
近年、動画像信号を低ビットレートで効率良く伝送するための動画像圧縮符号化方式として、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  ｓｅｃｔｏｒ：国際電気通信連合電気通信標準化部門）勧告Ｈ．２６３や、ＩＳＯ／ＩＥＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｔｅｃｈｎｉｃａｌ  Ｃｏｍｍｉｓｓｉｏｎ）で国際標準化されているＭＰＥＧ（Ｍｏｖｉｎｇ  Ｐｉｃｔｕｒｅ  Ｅｘｐｅｒｔｓ  Ｇｒｏｕｐ）−４が知られている。【０００３】
また、ＩＴＵ−ＴとＩＳＯ／ＩＥＣで国際標準化されたＨ．２６４／ＭＰＥＧ−４  ＡＶＣ（Ａｄｖａｎｃｅｄ  Ｖｉｄｅｏ  Ｃｏｄｉｎｇ）が、前記動画像圧縮符号化方式よりも動画像信号を効率良く伝送できるとして注目を浴びている。このため、ＮＧＮ（Ｎｅｘｔ  Ｇｅｎｅｒａｔｉｏｎ  Ｎｅｔｗｏｒｋ；次世代ネットワーク）やモバイルネットワークを利用したマルチメディア配信が普及化しつつある。【０００４】
映像、音声、オーディオの少なくとも一つを含むコンテンツに動画像信号が含まれる場合、携帯端末が復号できる動画コーデックの設定（以下、「能力情報」と呼ぶ）を呼接続時にゲートウェイ装置に伝える必要がある。このプロトコルとして、ＩＰネットワークを介して転送する場合、例えば、ＩＥＴＦ  ＲＦＣ２３２７  ＳＤＰ（Ｓｅｓｓｉｏｎ  Ｄｅｓｃｒｉｐｔｉｏｎ  Ｐｒｏｔｏｃｏｌ）を用いることができる。回線交換ネットワークを介して転送する場合には、ＩＴＵ−Ｔ勧告Ｈ．２４５で規定されているプロトコルを使用して、携帯端末の端末能力を含む情報をゲートウェイ装置に伝える。【０００５】
なお、端末に送信される情報を変換してから該端末に送信する技術として、例えば特許文献１には、ネットワーク制御部において端末、呼、フローあるいはセッションについて情報変換が必要か否かを判断し、情報変換が必要であると判断した場合、変換元と変換後の情報のメディア、符号化方式、符号化速度等を管理し、情報変換装置において、ネットワーク上に転送される情報のメディア変更（音声からテキストへ変換、あるいは動画像から静止画像へ変換等を含む）、同一メディア間における伝送品質の変更を行い、ユーザ環境に応じて通信環境等を自動的に切替可能とした構成が開示されている。【０００６】
また特許文献２には、テレビ放送用の動画データ及び音声データを放送局側でインターネット配信可能なファイル形式に変換してゲートウェイサーバに送出し、ゲートウェイサーバが所定の形式に変換処理（データ変換、圧縮処理）を施した後、携帯電話端末に送信し携帯電話端末上でブラウザを介して表示するシステムが開示されている。【０００７】
また特許文献３には、ＸＨＴＭＬＢａｓｉｃ形式に変換された情報を携帯端末向けのコンテンツに変換し、Ｗｅｂからダウンロードした画像データの画像形式、画像サイズを携帯端末向けに変換し、携帯端末向けに変換したコンテンツを携帯端末の画面に応じたサイズに分割するコンテンツ変換システムが開示されている。【０００８】
さらに特許文献４には、アプリケーションゲートウエイが、移動端末が送出したコンテンツ要求リクエストに応じてオリジン・サーバから取得したコンテンツを、プロファイル情報における移動端末の性能や能力を示すパラメータを参照することにより、移動端末の性能や能力を十分に生かせるように変換する構成が開示されている。変換としては、マークアップ言語（ＭＬ）変換（ＳＧＭＬ、ＨＴＭＬ、ＸＴＭＬ等）、文字セット変換、オブジェクト変換（ファイル変換）が行われる。【０００９】
特許文献５には、コンテンツサーバから配信されたコンテンツデータをエージェントで取り込み、ユーザ端末に適合するように、コンテンツデータのフォーマット変換を行い、ユーザ端末に送信する構成が開示されている。【００１０】
そして、特許文献６には、携帯電話から送信された機器情報にしたがって、携帯電話で再生可能なファイル形式に変換して携帯電話に転送する放送システムの構成が開示されている。
【先行技術文献】
【特許文献】
【００１１】
【特許文献１】再公表特許ＷＯ０２／０１５６３０号公報
【特許文献２】特開２００１−２１８２７３号公報
【特許文献３】特開２００３−２７１５０８号公報
【特許文献４】特開２００５−２７５５３４号公報
【特許文献５】特開２００５−３３９１４９号公報
【特許文献６】特開２００７−００６１４８号公報
【発明の概要】
【発明が解決しようとする課題】
【００１２】
以下に本発明による関連技術の分析を与える。【００１３】
例えば家庭内等に設置されるゲートウェイ装置でネットワークを経由してコンテンツを受信し、ゲートウェイと無線で接続される携帯端末で、コンテンツを受け取って復号し表示するシステムにおいて、コンテンツの動画情報と携帯端末での能力情報が一致しない場合、携帯端末で動画ストリームを復号することが困難となる。すなわち、携帯端末で動画像を表示できなかったり、画像が乱れたりする、という問題がある。【００１４】
また、ビットレートや画面解像度が合わない場合、携帯端末で画像が乱れ、画質が著しく低下する。【００１５】
さらに、コーデックやファイル形式があわないと、携帯端末で全く再生できない。【００１６】
次に、上記した各特許文献と、本願で開示される発明との相違点を概説しておく。【００１７】
特許文献１に記載の発明は、メディアの変更（動画像から静止画像等）、符号化方式、伝送レートの変更を行うものであり、後述の本願で開示される発明（配信対象コンテンツに対して該コンテンツの復号に必要な情報と携帯端末の能力とを比較し、必要なパラメータに関してコンテンツをトランスコードする）とは全く相違している。【００１８】
特許文献２に記載の発明は、ゲートウェイサーバ側で、携帯電話側のＣＰＵパワーの点でリアルタイム処理が困難なレンダリング等の画像処理を行った上で、携帯電話に送信するというものであり、後述の本願で開示される発明とは全く相違している。【００１９】
特許文献３に記載の発明は、Ｗｅｂからダウンロードした画像データの画像形式、画像サイズを携帯端末向けに変換するというものであり、後述の本願で開示される発明とは全く相違している。【００２０】
特許文献４に記載の発明は、マークアップ言語（ＭＬ）変換（ＳＧＭＬ、ＨＴＭＬ、ＸＴＭＬ等）、文字セット変換、オブジェクト変換（ファイル変換）を行うものであり、後述の本願で開示される発明とは全く相違している。【００２１】
特許文献５の記載の発明はフォーマット変換、特許文献６の記載の発明は携帯電話で再生可能なファイル形式への変換をそれぞれ行うものであり、いずれも、後述の本願で開示される発明とは全く相違している。【００２２】
したがって、本発明の目的は、ゲートウェイ装置でコンテンツを受信し、該ゲートウェイ装置と無線で接続された携帯端末でコンテンツを復号し表示する場合に、携帯端末の能力に適合させてコンテンツを転送することができ、携帯端末で高品質の動画、オーディオ、音声を再生することを可能とするゲートウェイ装置と方法とプログラムを提供することにある。
【課題を解決するための手段】
【００２３】
本願で開示される発明は、上記課題を解決するため概略以下の構成とされる。【００２４】
本発明の１つの側面（アスペクト）によれば、コンテンツサーバからネットワークを介して、映像、音声、オーディオのうちの少なくとも１つを含むコンテンツを受け無線ネットワークを介して携帯端末に送出するゲートウェイ装置であって、
前記携帯端末から前記携帯端末の能力を含む情報を受け、
前記コンテンツサーバから入力される、映像、音声、オーディオのうちの少なくとも一つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断する制御部と、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する変換部と、を備えるゲートウェイ装置が提供される。【００２５】
本発明の他の側面によれば、テレビ、セットトップボックス、ホームサーバ、携帯端末の少なくとも１つが接続され、映像、音声、オーディオのうちの少なくとも１つを含むコンテンツを無線ネットワークを介して携帯端末に送出するゲートウェイ装置であって、
前記携帯端末から前記端末の能力を含む情報を受け、
前記セットトップボックス又は前記ホームサーバに蓄積された、映像、音声、オーディオの少なくとも１つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断する制御部と、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する変換部と、
を備えるートウェイ装置が提供される。
【発明の効果】
【００２６】
本発明によれば、ゲートウェイ装置でコンテンツを受信し、該ゲートウェイ装置と無線で接続された携帯端末でコンテンツを復号し表示する場合に、携帯端末の能力に適合させてコンテンツを転送することができ、携帯端末で高品質の動画、オーディオ、音声を再生することができる。
【図面の簡単な説明】
【００２７】
【図１】本発明の第１の実施例のシステムの構成を示す図である。
【図２】本発明の第１の実施例のトランスコーダの構成を示す図である。
【図３】本発明の第２の実施例のシステムの構成を示す図である。
【図４】本発明の第２の実施例のトランスコーダの構成を示す図である。
【符号の説明】
【００２８】
１０１  コンテンツサーバ
１０２、３０２  ゲートウェイ装置
１２０  携帯端末
１０４、１０５  ネットワーク
１０７、１１０、３０７、３１０  送受信部
１０８  制御・解析部
１０９、３０９  トランスコーダ
１３０、３３０  無線ネットワーク
２０１  変換制御部  
２０２、３１７  受信バッファ
２０３、３１５  ファイル読み出し部
２０４、３１４  トランスコーダ部
２０５、３１３  ファイル書き込み部
２０６、３１６  スイッチ部
２０７、３１２  送信バッファ
３０３  セットトップボックス
３０４  ＴＶ（テレビ）
【発明を実施するための形態】
【００２９】
上記した本発明についてさらに詳細に説述すべく添付図面を参照して以下に説明する。
【００３０】
本発明の１つの態様によれば、図１を参照すると、コンテンツサーバ（１０１）からネットワークを介して、映像、音声、オーディオのうちの少なくとも１つを含むコンテンツを受け無線ネットワークを介して前記携帯端末（１２０）に送出するゲートウェイ装置（１０２）が、前記携帯端末（１２０）から前記携帯端末の能力を含む情報を受け、コンテンツサーバ（１０１）から入力される、映像、音声、オーディオのうちの少なくとも一つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断する制御・解析部（１０８）と、前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する変換部（トランスコーダ）（１０９）と、を備える。
【００３１】
前記制御・解析部（１０８）は、携帯端末（１２０）から送信される前記携帯端末の能力を含む情報を受けて解析し、コンテンツサーバ（１０１）から入力される、映像、音声、オーディオのうちの少なくとも１つを含むコンテンツについて、前記コンテンツと共に、又は別途入力される、前記コンテンツの復号化情報、ファイル形式から、前記コーデック、ビットレート、解像度、ファイル形式の情報を取得して、前記携帯端末の能力と比較し、前記コンテンツに関するコーデック、ビットレート、解像度、及び、ファイル形式のうち前記携帯端末の能力に合致しないものが少なくとも１つある場合に、前記変換部に変換指示を出力する。変換部（１０９）は、制御・解析部（１０８）からの変換の指示を受けると、前記コンテンツに関するコーデック、ビットレート、解像度、及び、ファイル形式のうち前記携帯端末の能力に合致しないものについて、前記コンテンツにトランスコード処理を施す。
【００３２】
あるいは、本発明の別の態様において、図３を参照すると、テレビ（３０４）、セットトップボックス（３０３）、ホームサーバ、携帯端末（１２０）の少なくとも１つが接続され、映像、音声、オーディオのうちの少なくとも１つを含むコンテンツを無線ネットワークを介して携帯端末（１２０）に送出するゲートウェイ装置であって、携帯端末（１０２）から前記端末の能力を含む情報を受け、セットトップボックス（３０３）又はホームサーバに蓄積された、映像、音声、オーディオの少なくとも１つを含むコンテンツについて、前記コンテンツの復号に関する情報としてコーデック、ビットレート、解像度、ファイル形式を含む情報を取得して、携帯端末の能力と比較し、前記コンテンツの変換が必要であるか否かを判断する制御・解析部（１０８）と、前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する変換部（トランスコーダ）（３０９）と、を備える。
【００３３】
前記制御・解析部（１０８）は、前記携帯端末から送信される前記携帯端末の能力を含む情報を受けて解析し、セットトップボックス（３０３）又は前記ホームサーバに蓄積された、映像、音声、オーディオの少なくとも１つを含むコンテンツについて、前記コンテンツの復号化情報、ファイル形式から、前記コーデック、ビットレート、解像度、ファイル形式の情報を取得して、携帯端末の能力と比較し、前記コンテンツに関するコーデック、ビットレート、解像度、及び、ファイル形式のうち前記携帯端末の能力に合致しないものが少なくとも１つある場合に、変換部（３０９）に変換指示を出力する。変換部（３０９）は、制御・解析部（１０８）からの変換の指示を受けると、前記コンテンツに関するコーデック、ビットレート、解像度、及び、ファイル形式のうち前記携帯端末の能力に合致しないものについて、コンテンツにトランスコード処理を施す。
【００３４】
本発明によれば、受信するコンテンツが、動画像、静止画像、オーディオ、音声の少なくとも一つを含む場合、テレビ、セットトップボックス、ホームサーバの少なくとも１つに対して受信したコンテンツを出力するのみならず、同じコンテンツを携帯端末で受信して表示する場合、コーデック、ビットレート、画像解像度、ファイル形式等の能力情報のうちの少なくとも一つが前記コンテンツと携帯端末で異なる場合には、実時間に変換することにより、携帯端末でも、同じコンテンツを受信・復号化して表示等することができる。また、これにより、同じコンテンツをテレビ向けや、携帯端末向けに複数種類作成することは不要とされる。
【００３５】
また、本発明によれば、セットトップボックス、ホームサーバのうちの少なくとも一に蓄積された、テレビ向けのコンテンツが、動画像、静止画像、オーディオ、音声の少なくとも一つを含む場合、同じコンテンツを携帯端末で受信して表示する場合、コーデック、ビットレート、画像解像度、ファイル形式等の能力情報のうちの少なくとも一つが前記コンテンツと携帯端末で異なる場合には、実時間に変換することにより、携帯端末で受信・復号化して表示等することができる。これにより、同じコンテンツをテレビ向けや、携帯端末向けに複数種類蓄積することは不要とされる。
【００３６】
なお、以下の実施例では、コンテンツとして、動画像を用い、家庭内に設置されるゲートウェイ装置でトランスコーダを構成する例を説明するが、オーディオ、音声の場合も同様の構成を用いることができる。
【００３７】
＜実施例１＞
図１は、本発明の第１の実施例のゲートウェイ装置の構成を示す図である。図１において、コンテンツサーバ１０１は、動画像、オーディオ、音声の少なくとも一つを含むコンテンツの圧縮符号化ビットストリーム又はファイルを蓄積する。
【００３８】
携帯端末１２０は、無線ネットワーク１３０を通して、ゲートウェイ装置１０２に対し、接続要求を行なう。このときに、携帯端末１２０は、端末の能力情報をゲートウェイ装置１０２に伝達する。能力情報の伝達には、例えばＩＥＴＦ（Ｉｎｔｅｒｎｅｔ  Ｅｎｇｉｎｅｅｒｉｎｇ  Ｔａｓｋ  Ｆｏｒｃｅ）で定められているＲＦＣ  ２３２６  ＲＴＣＰ  （Ｒｅａｌ  Ｔｉｍｅ  Ｃｏｎｔｒｏｌ  Ｐｒｏｔｏｃｏｌ）や、ＲＦＣ  ２３２７  ＳＤＰ（Ｓｅｓｓｉｏｎ  Ｄｅｓｃｒｉｐｔｉｏｎ  Ｐｒｏｔｏｃｏｌ）などを使用することができる。ここで、無線ネットワーク１３０はＣＳ（Ｃｉｒｃｕｉｔ  Ｓｗｉｔｃｈｅｄ：回線交換）網、ＩＰ（Ｉｎｔｅｒｎｅｔ  Ｐｒｏｔｏｃｏｌ）網どちらでもよいが、以下では、ＩＰ網と想定して説明する。
【００３９】
本実施例のゲートウェイ装置１０２について説明する。送受信部１０７は、ネットワーク１０４を通してコンテンツサーバ１０１からコンテンツを受信する。
【００４０】
送受信部１１０は、携帯端末１２０から無線ネットワーク１３０を通して、携帯端末１２０の能力情報を受信し、これを制御・解析部１０８に出力する。
【００４１】
制御・解析部１０８は、能力情報を受け取り解析する。ここで、コンテンツサーバ１０１は、コンテンツに動画像が含まれているとすると、選択されたコンテンツの動画像データを復号するのに必要な復号化情報（例えばＤＣＩ情報：Ｄｅｃｏｄｅｒ  Ｃｏｎｆｉｇｒａｔｉｏｎ  Ｉｎｆｏｒｍａｔｉｏｎ）やファイル形式などを、動画ストリームや動画ファイルと共に、又は、別途、送受信部１０７に出力する。
【００４２】
送受信部１０７は、復号化情報やファイル形式などを入力し、制御・解析部１０８に出力する。
【００４３】
制御・解析部１０８は、
・送受信部１１０から入力した、携帯端末１２０からの能力情報と、
・送受信部１０７から入力したコンテンツの動画像データのＤＣＩ情報やファイル形式などに含まれる、動画に関するコーデック、ビットレート、画面解像度、ファイル形式を比較する。
【００４４】
制御・解析部１０８は、携帯端末１２０からの能力情報と動画に関するコーデック、ビットレート、画面解像度、ファイル形式の少なくとも一つが一致しない場合、トランスコーダ１０９に対してトランスコード処理を指示する。
【００４５】
トランスコーダ１０９は、制御・解析部１０８から指示を受け取り、送受信部１０７からコンテンツの動画データストリームを入力する。トランスコーダ１０９は、一致しないパラメータ（動画に関するコーデック、ビットレート、画面解像度、ファイル形式のうちの一致しないパラメータ）に対して、変換を行ない、変換後の出力ストリームを送受信部１１０を通して無線ネットワーク１３０経由で携帯端末１２０に出力する。なお、図１において、送受信部１０７、１１０、制御・解析部１０８、トランスコーダ１０９は、ゲートウェイ装置１０２を構成するコンピュータ（プロセッサ）上で実行されるプログラムによりその機能・処理を実現するようにしてもよい。以下の実施例も同様である。
【００４６】
図２は、図１のトランスコーダ１０９の一構成例を示す図である。図２において、受信バッファ２０２は、図１の送受信部１０７から動画データストリーム又は動画ファイルを予め定められたサイズ毎に受信し、一旦バッファリングする。
【００４７】
変換制御部２０１は、図１の制御・解析部１０８から変換に関する制御情報を受けとり、まず、トランスコーダ処理を行なうか否かを判別する。
【００４８】
例えば、コーデック、ビットレート、画面解像度、ファイル形式の４種のパラメータが全て一致する場合には、変換制御部２０１は、受信バッファ２０２及びスイッチ部２０６にトランスコードしないという指示を出す。
【００４９】
これを受けて受信バッファ２０２は、受信した動画データストリームをスイッチ部２０６を介してスルーで送信バッファ２０７に出力する。送信バッファ２０７は、動画データストリームを送出する。
【００５０】
一方、上記４種のパラメータのうち１種でも一致しない場合、変換制御部２０１は、どのパラメータに対してトランスコーダ処理を行なうのかを判別し、指示を出力する。
【００５１】
例えば、コーデック、ビットレート及び画面解像度が一致しない例として、コンテンツの動画ストリームのビットレートがＭＰＥＧ−４、１２８  ｋｂｐｓで画面解像度がＣＩＦであるが、端末はＨ．２６３、６４  ｋｂｐｓでＱＣＩＦといった場合は、変換制御部２０１は、受信バッファ２０２、ファイル読み出し部２０３、トランスコーダ部２０４、ファイル書き込み部２０５、スイッチ部２０６に指示を出す。
【００５２】
データストリームの場合、トランスコーダ部２０４は、受信バッファ２０２から画像データストリームをファイル読み出し部２０３スルーで受信し、一旦、バッファリングする。
【００５３】
ファイルの場合、ファイル読み出し部２０３は、変換制御部２０１から指示されたファイル形式に格納された動画ストリームを読み出しトランスコーダ部２０４に出力する。
【００５４】
トランスコーダ部２０４は、変換制御部２０１から指示された、ビットレート、画面解像度、コーデックについてトランスコード処理を行ない出力する。
【００５５】
ファイル書き込み部２０５は、変換制御部２０１から指示されたファイル形式で、トランスコード後の動画ストリームをファイルに書き込み、スイッチ部２０６の出力は入力ａ側が接続され、ファイルが予め定められたサイズ毎に送信バッファ２０７に出力される。
【００５６】
送信バッファ２０７は予め定められたサイズ毎に送出する。
【００５７】
なお、受信バッファ２０２が受信するのがファイルではなく、動画データストリームの場合、ファイル読み出し部２０３とファイル書き込み部２０５はスルー処理する。
【００５８】
なお、動画コーデックは、Ｈ．２６３、ＭＰＥＧ−４、Ｈ．２６４など周知のものを使用することができる。
【００５９】
ファイル形式は例えば、３ＧＰファイル形式、３ＧＰ２ファイル形式など、周知のものを使用することができる。これらは以下の実施例でも同様である。
【００６０】
本実施例によれば、コンテンツに動画像、オーディオ、音声の少なくとも一つを含む場合に、コーデック、ビットレート、画面解像度、ファイル形式などの能力情報が異なる様々な端末に適合するように、動画像ストリームをゲートウェイ装置で変換し、これらのコンテンツをゲートウェイ装置経由で、携帯端末で受信し、復号化して表示することができる。
【００６１】
＜実施例２＞
図３は、本発明の第２の実施例の構成を示す図である。図３において、図１と同一要素には、同じ参照符号が付されている。以下では、図１と同一要素は、図１と同じ動作を行なうので、その説明は適宜省略する。
【００６２】
図３において、送受信部３１０は、テレビ３０４が接続されたセットトップボックス３０３がネットワーク１０５を介して接続されている。
【００６３】
セットトップボックス３０３は、コンテンツサーバ１０１から受信したコンテンツのうち、エンドユーザが気に入ったコンテンツを蓄積する。
【００６４】
携帯端末１２０から無線ネットワーク３３０を通して送受信部３０７に接続要求が送出される。
【００６５】
このときに、携帯端末１２０は、端末の能力情報をゲートウェイ装置３０２に伝達する。能力情報の伝達には、例えばＩＥＴＦで定められているＲＦＣ  ２３２６  ＲＴＣＰ  （Ｒｅａｌ  Ｔｉｍｅ  Ｃｏｎｔｒｏｌ  Ｐｒｏｔｏｃｏｌ）や、ＲＦＣ  ２３２７  ＳＤＰ（Ｓｅｓｓｉｏｎ  Ｄｅｓｃｒｉｐｔｉｏｎ  Ｐｒｏｔｏｃｏｌ）等を使用することができる。ここで、無線ネットワーク３３０はＣＳ（Ｃｉｒｃｕｉｔ  Ｓｗｉｔｃｈｅｄ：回線交換）網、ＩＰ網どちらでもよいが、以下では、ＩＰ網と想定して説明する。
【００６６】
ゲートウェイ装置３０２を説明する。
【００６７】
送受信部３０７は、携帯端末１２０から無線ネットワーク３３０を通して、携帯端末１２０の能力情報を受信し、これを制御・解析部１０８に出力し、制御・解析部１０８は前記能力情報を受け取り解析する。
【００６８】
送受信部３１０は、セットトップボックス３０３に蓄積されたコンテンツ情報（動画データストリーム又はファイル）を読み出し、さらに、コンテンツ毎に復号化情報やファイル形式などを読み出し、制御・解析部１０８に出力する。
【００６９】
制御・解析部１０８は、送受信部３０７から入力した、携帯端末１２０からの能力情報と、送受信部３１０から入力したコンテンツの動画像データのＤＣＩ情報やファイル形式等に含まれる、動画に関するコーデック、ビットレート、画面解像度、ファイル形式を比較する。そして、これらの少なくとも一つが一致しない場合はトランスコーダ３０９にトランスコード処理を指示する。
【００７０】
図４は、トランスコーダ３０９の構成を示すブロック図である。図４において、図２と同じ要素には、同一の参照符号が付されている。図４において、図２と同一の構成要素は図２と同一の動作をするので、その説明は省略する。
【００７１】
受信バッフ３１７は、図３の送受信部３１０から動画データストリーム又は動画ファイルを予め定められたサイズ毎に受信し、一旦バッファリングする。
【００７２】
変換制御部２０１は、図３の制御・解析部１０８から変換に関する制御情報を受けとり、まずトランスコーダ処理を行なうかどうかを判別する。
【００７３】
例えば、コーデック、ビットレート、画面解像度、ファイル形式の４種のパラメータが全て一致する場合、変換制御部２０１は、受信バッファ３１７及びスイッチ部３１６にトランスコードしないという指示を出す。
【００７４】
これを受け、受信バッファ３１７は、受信した動画データストリームをスイッチ部３１６を介してスルーで、送信バッファ３１２に出力する。
【００７５】
送信バッファ３１２は動画データストリームを送出する。
【００７６】
一方、上記４種のパラメータのうち１種でも一致しない場合は、変換制御部２０１は、どのパラメータに対してトランスコーダ処理を行なうのかを判別し、指示を出力する。
【００７７】
例えば、コーデック、ビットレート及び画面解像度が一致しない例として、コンテンツの動画ストリームのビットレートがＭＰＥＧ−４、１２８  ｋｂｐｓで画面解像度がＣＩＦであるが、端末はＨ．２６３、６４  ｋｂｐｓでＱＣＩＦといった場合は、変換制御部２０１は、受信バッファ３１７、ファイル読み出し部３１５、トランスコーダ部３１４、ファイル書き込み部３１３、スイッチ部３１６に指示を出す。
【００７８】
データストリームの場合、トランスコーダ部３１４は、受信バッファ３１７から画像データストリームをファイル読み出し部３１５を、スルーして受信し、一旦バッファリングする。
【００７９】
ファイルの場合、ファイル読み出し部３１５は、変換制御部２０１から指示されたファイル形式に格納された動画ストリームを読み出しトランスコーダ部３１４に出力する。
【００８０】
トランスコーダ部３１４は変換制御部２０１から指示された、ビットレート、画面解像度、コーデックについてトランスコード処理を行ない出力する。
【００８１】
ファイル書き込み部３１３は、変換制御部２０１から指示されたファイル形式でトランスコード後の動画ストリームをファイルに書き込み、ファイルが予め定められたサイズ毎に送信バッファ３１２に出力される。送信バッファ３１２は予め定められたサイズ毎に送出する。
【００８２】
なお、受信バッファ３１７が受信するのがファイルではなく、動画データストリームの場合は、ファイル読み出し部３１５とファイル書き込み部３１３はスルー処理する。
【００８３】
本発明によれば、セットトップボックスやホームサーバに蓄積されたコンテンツに動画像、オーディオ、音声の少なくとも一つを含む場合に、コーデック、ビットレート、画面解像度、ファイル形式などの能力情報が異なる様々な携帯端末に適合するように、動画像ストリームをゲートウェイ装置で変換することにより、これらのコンテンツをゲートウェイ装置経由で携帯端末で受信し復号化して表示することができる。
【００８４】
上記実施例では、コンテンツサーバ１０１から受信したコンテンツのうち気に入ったものをエンドユーザがセットトップボックス３０３に蓄積する構成について説明したが、コンテンツを蓄積する装置として、サーバ装置を新たに設置し、セットトップボックス３０３と接続してもよい。この場合、ゲートウェイ装置３０２は、サーバ装置で蓄積されたコンテンツを読み出すことになる。
【００８５】
なお、上記の特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図１】
2009128515.tif 000003
【図２】
2009128515.tif 000004
【図３】
2009128515.tif 000005
【図４】
2009128515.tif 000006
【手続補正書】
【提出日】平成22年10月13日(2010.10.13)
【手続補正１】
【補正対象書類名】特許請求の範囲
【補正対象項目名】全文
【補正方法】変更
【補正の内容】
【特許請求の範囲】
【請求項１】
コンテンツサーバからネットワークを介して、映像、音声、オーディオのうちの少なくとも１つを含むコンテンツを受け無線ネットワークを介して携帯端末に送出するゲートウェイ装置であって、
前記携帯端末から前記携帯端末の能力を含む情報を受け、
前記コンテンツサーバから入力される、映像、音声、オーディオのうちの少なくとも一つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断する制御部と、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する変換部と、
を備える、ことを特徴とするゲートウェイ装置。
【請求項２】
前記制御部は、
前記携帯端末から送信される前記携帯端末の能力を含む情報を受けて解析し、
前記コンテンツサーバから入力される、映像、音声、オーディオのうちの少なくとも１つを含むコンテンツについて、前記コンテンツと共に、又は別途入力される、前記コンテンツの復号化情報、ファイル形式から、前記コーデック、ビットレート、解像度、ファイル形式の情報を取得して、前記携帯端末の能力と比較し、
前記コンテンツに関するコーデック、ビットレート、解像度、及び、ファイル形式のうち前記携帯端末の能力に合致しないものが少なくとも１つある場合に、前記変換部に変換指示を出力し、
前記変換部は、前記制御部からの変換の指示を受けると、前記コンテンツに関するコーデック、ビットレート、解像度、及び、ファイル形式のうち前記携帯端末の能力に合致しないものについて、前記コンテンツにトランスコード処理を施す、ことを特徴とする請求項１記載のゲートウェイ装置。
【請求項３】
テレビ、セットトップボックス、ホームサーバ、携帯端末の少なくとも１つが接続され、映像、音声、オーディオのうちの少なくとも１つを含むコンテンツを無線ネットワークを介して前記携帯端末に送出するゲートウェイ装置であって、
前記携帯端末から前記端末の能力を含む情報を受け、
前記セットトップボックス又は前記ホームサーバに蓄積された、映像、音声、オーディオの少なくとも１つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断する制御部と、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する変換部と、
を備える、ことを特徴とするゲートウェイ装置。
【請求項４】
前記制御部は、前記携帯端末から送信される前記携帯端末の能力を含む情報を受けて解析し、
前記セットトップボックス又は前記ホームサーバに蓄積された、映像、音声、オーディオの少なくとも１つを含むコンテンツについて、前記コンテンツの復号化情報、ファイル形式から、前記コーデック、ビットレート、解像度、ファイル形式の情報を取得して、前記携帯端末の能力と比較し、
前記コンテンツに関するコーデック、ビットレート、解像度、及び、ファイル形式のうち前記携帯端末の能力に合致しないものが少なくとも１つある場合に、前記変換部に変換指示を出力し、
前記変換部は、前記制御部からの変換の指示を受けると、前記コンテンツに関するコーデック、ビットレート、解像度、及び、ファイル形式のうち前記携帯端末の能力に合致しないものについて、前記コンテンツにトランスコード処理を施す、ことを特徴とする請求項３記載のゲートウェイ装置。
【請求項５】
前記変換部は、
前記コンテンツの動画データストリームを受信し一時的に蓄積する受信バッファと、
前記制御・解析部から、変換に関する制御情報を受けとり、トランスコード処理の有無の指示を出力する変換制御部と、
トランスコーダ部と、
を備え、
前記端末の能力情報と、動画像に関するコーデック、ビットレート、解像度のパラメータが全て一致する場合、前記変換制御部は、トランスコーダ処理を行わない指示を出し、前記受信バッファからの動画像データはスルーで前記変換部の送受信部から、ネットワーク伝送路を介して、前記端末に送出され、
前記端末の能力情報と、動画像に関するコーデック、ビットレート、解像度のパラメータのうち一つでも一致しない場合、前記変換制御部は、どのパラメータに対してトランスコーダ処理を行なうのかを判別して指示を出力し、
前記トランスコーダ部は、前記受信バッファから動画像データストリームを受け取り、前記変換制御部から指示された、ビットレート、解像度、コーデックの該当パラメータについてトランスコード処理を実行して出力し、
前記変換制御部からの指示に基づき、前記受信バッファから動画像データストリームと、前記トランスコーダ部でトランスコード処理された動作データストリームとの一方を選択して出力するスイッチ部と、
前記スイッチ部の出力を受け予め定められたサイズ毎に出力する送信バッファと、
を備えた、ことを特徴とする請求項１記載のゲートウェイ装置。
【請求項６】
前記変換部は、
前記受信バッファに動画ストリームがファイルで蓄積される場合に、前記変換制御部から指示されたファイル形式で格納された動画ストリームを、前記受信バッファから読み出して出力するファイル読み出し部を備え、
前記トランスコード部は、前記変換制御部からの指示に基づき、前記ファイル読み出し部で読み出された動画ストリームをトランスコード処理し、
前記トランスコード部でトランスコード処理された動画ストリームを、前記変換制御部から指示されたファイル形式でファイルに書き込むファイル書き込み部を備え、
前記スイッチ部は、前記変換制御部からの指示に基づき、前記ファイル書き込み部の出力と、前記受信バッファの出力との一方を選択し、予め定められたサイズ毎に前記送信バッファに出力する、ことを特徴とする請求項５記載のゲートウェイ装置。
【請求項７】
テレビ受信機、セットトップボックス、ホームサーバの少なくとも１つが接続され、映像、音声、オーディオのうちの少なくとも１つを含むコンテンツを受信し、前記テレビ受信機、セットトップボックス、ホームサーバのうちの少なくとも一つに対して前記コンテンツを出力し、
前記制御部は、携帯端末との間で前記携帯端末の能力を含む情報をやりとりし、
前記変換部は、前記制御部からの情報を入力し、前記携帯端末の能力に適合させるために、前記受信したコンテンツの変換が必要であるか否かを判断し、前記変換が必要と判断された場合、前記コンテンツのコーデック、ビットレート、解像度、ファイル形式のうちの少なくとも一つを実時間に変換し、前記変換後のコンテンツを無線ネットワークを介して前記携帯端末に送出する、ことを特徴とするゲートウェイ装置。
【請求項８】
テレビ受信機、セットトップボックス、ホームサーバのうちの少なくとも１つが接続され、映像、音声、オーディオのうちの少なくとも１つを含むコンテンツを受信し、前記テレビ受信機、セットトップボックス、ホームサーバのうちの少なくとも一つに対して前記コンテンツを出力し、
前記テレビ受信機、セットトップボックス、ホームサーバのうちの少なくとも一つは前記コンテンツを蓄積し、
携帯端末が無線ネットワークを介して前記ゲートウェイ装置に接続され、
前記制御部は、前記携帯端末との間で前記携帯端末の能力を含む情報をやりとりし、
前記変換部は、前記セットトップボックス、又は前記ホームサーバに蓄積された、映像、音声、オーディオの少なくとも１つを含むコンテンツを入力し、前記制御部からの情報を入力し、前記携帯端末の能力に適合させるために、前記コンテンツの変換が必要であるか否かを判断し、前記変換が必要と判断された場合、前記コンテンツのコーデック、ビットレート、解像度、ファイル形式のうちの少なくとも一つを実時間に変換し、前記変換後のコンテンツを無線ネットワークを介して前記携帯端末に送出する、ことを特徴とするゲートウェイ装置。
【請求項９】
コンテンツサーバからネットワークを介して、映像、音声、オーディオのうちの少なくとも１つを含むコンテンツを受け、
無線ネットワークを介して携帯端末に送出するゲートウェイの方法であって、
前記携帯端末から前記携帯端末の能力を含む情報を受け、
前記コンテンツサーバから入力される、映像、音声、オーディオのうちの少なくとも一つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断し、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する、
ことを特徴とするゲートウェイ方法。
【請求項１０】
テレビ、セットトップボックス、ホームサーバ、携帯端末の少なくとも１つが接続され、
映像、音声、オーディオのうちの少なくとも１つを含むコンテンツを無線ネットワークを介して前記携帯端末に送出するゲートウェイの方法であって、
前記携帯端末から前記端末の能力を含む情報を受け、
前記セットトップボックス又は前記ホームサーバに蓄積された、映像、音声、オーディオの少なくとも１つを含むコンテンツについて、前記コンテンツの復号に関する情報としてコーデック、ビットレート、解像度、ファイル形式を含む情報を取得して、前記携帯端末の能力と比較し、前記コンテンツの変換が必要であるか否かを判断し、
前記変換が必要と判断された場合、前記コンテンツのコーデック、ビットレート、解像度、ファイル形式のうちの少なくとも一つを変換して、前記携帯端末の能力に適合したコンテンツを生成し、前記無線ネットワークを介して前記携帯端末に送出する、
ことを特徴とするゲートウェイ方法。
【手続補正３】
【補正対象書類名】明細書
【補正対象項目名】００２２
【補正方法】変更
【補正の内容】
【００２２】
したがって、本発明の目的は、ゲートウェイ装置でコンテンツを受信し、該ゲートウェイ装置と無線で接続された携帯端末でコンテンツを復号し表示する場合に、携帯端末の能力に適合させてコンテンツを転送することができ、携帯端末で高品質の動画、オーディオ、音声を再生することを可能とするゲートウェイ装置と方法を提供することにある。
【国際調査報告】
2009128515.tif 000007
2009128515.tif 000008